(57)【要約】【課題】山の字形パドルでは高粘性流体を均一に混練出来ない。【解決手段】容器Ａ外に配置されるアーム部１と、該アーム部１の先端に一体形成した、前記容器Ａ内に配置されるパドル部２とを有し、該パドル部２は、水平部位３と、該水平部位３の両端部より上方突出した垂直部位４、５と、水平部位３の中央より上方突出した、前記アーム部１への連結軸部６とを有し、他方の垂直部位５の上端に内方突出部７を設けていることにより、非流動領域に該当する領域の混合対象物Ｗを内方突出部位７で混合可能にする。【選択図】図５
2019150787.tif 000002
【特許請求の範囲】
【請求項１】
ターンテーブル上に載置した容器を回転させて、該容器内の混合対象物を混合する容器回転式混合装置用のパドルであって、
前記容器外に配置されるアーム部と、該アーム部の先端に一体形成した、前記容器内に配置されるパドル部とを有し、該パドル部は、水平部位と、該水平部位の両端部より上方突出した垂直部位と、水平部位の中央より上方突出した、前記アーム部への連結軸部とを有し、前記垂直部位の少なくともどちらか一方の上端に内方突出部を設けたことを特徴とする容器回転式混合装置用パドル。
【請求項２】
前記垂直部位の一方を高くし、前記垂直部位の他方に前記内方突出部を設けたことを特徴とする請求項１記載の容器回転式混合装置用パドル。
【請求項３】
前記連結軸部を、幅が広く両側部に両刃状のエッジ部を形成した柱状体としたことを特徴とする請求項１又は２記載の容器回転式混合装置用パドル。
【請求項４】
前記アーム部及びパドル部をプラスチックで一体成形したことを特徴とする請求項１、２又は３記載の容器回転式混合装置用パドル。
【発明の詳細な説明】
【技術分野】
【０００１】
本発明は、容器を回転させて該容器内の混合対象物を混合する装置用のパドルに関する。
【背景技術】
【０００２】
従来、かかる容器回転式混合装置用パドルにあっては、金属製で、図７に示す様に、容器ａ外に配置されるアーム部ｂと、該アーム部ｂの先端に一体形成した、容器ａ内に配置されるパドル部ｃとを有し、該パドル部ｃは、水平部位ｄと、該水平部位ｄの両端部より上方突出した垂直部位ｅ、ｅ′と、水平部位ｄの中央より上方突出した、アーム部ｂへの連結軸部ｆとを有し、水平部位ｄの下面及び垂直部位ｅ、ｅ′の外側面にゴム製のワイパーｇ、ｈ、ｈ′を設け、混合装置ｍにターンテーブルｔ上に設置した容器ａ内にパドル部ｃを収容し、ターンテーブルｔにより容器ａを回転させることで、パドル部ｃにより容器ａ内の混合対象物ｗを混練可能にしたものが見受けられる（例えば、特許文献１参照）。
【先行技術文献】
【特許文献】
【０００３】
【特許文献１】特開２００６-２０４９８０号公報
【発明の概要】
【発明が解決しようとする課題】
【０００４】
しかし、上記従来技術の山の字形パドルでは、混合対象物ｗが高粘性流体の場合、垂直部位ｅ、ｅ′の上端より内方且つ上方のリング状の領域ｓ（図７のクロスハッチングで示された領域）が流動しないことが明らかとなったため、この非流動領域の発生により高粘性流体を均一に混練出来ないなど、解決せねばならない課題があった。
【課題を解決するための手段】
【０００５】
本発明は、上記従来技術に基づく、山の字形パドルでは高粘性流体を均一に混練出来ない課題に鑑み、容器外に配置されるアーム部と、該アーム部の先端に一体形成した、前記容器内に配置されるパドル部とを有し、該パドル部は、水平部位と、該水平部位の両端部より上方突出した垂直部位と、水平部位の中央より上方突出した、前記アーム部への連結軸部とを有し、前記垂直部位の少なくともどちらか一方の上端に内方突出部を設けていることによって、非流動領域に該当する領域の混合対象物を内方突出部位で混合可能にして、上記課題を解決する。
【発明の効果】
【０００６】
要するに本発明は、前記容器外に配置されるアーム部と、該アーム部の先端に一体形成した、前記容器内に配置されるパドル部とを有し、該パドル部は、水平部位と、該水平部位の両端部より上方突出した垂直部位と、水平部位の中央より上方突出した、前記アーム部への連結軸部とを有し、前記垂直部位の少なくともどちらか一方の上端に内方突出部を設けたので、該内方突出部位により非流動領域に該当する領域の混合対象物を、他領域の混合対象物と混合することが出来るため、容器内の混合対象物を均一に混合することが出来る。
前記垂直部位の一方を高くし、前記垂直部位の他方に前記内方突出部を設けたので、他方の垂直部位より上方の混合対象物を一方の垂直部位で混合することが出来るため、容器内の混合対象物を更に均一に混合することが出来る。
【０００７】
前記連結軸部を、幅が広く両側部に両刃状のエッジ部を形成した柱状体としたので、
容器内を流動する混合対象物が、連結軸部の一方のエッジ部で分流して、連結軸部の正背面に沿って流れ、他方のエッジ部を経て合流するため、他方のエッジ部より下流側の混合対象物の合流部位に溝が発生しないため、混合対象物への気泡の混入を防止することが出来る。
【０００８】
前記アーム部及びパドル部をプラスチックで一体成形したので、軽量化を図ることが出来ると共に、水平部位の下面及び垂直部位の外側面にゴム製のワイパーを設けなくても、そのままで容器内面に損傷を与えない様にすることが出来る等その実用的効果甚だ大である。
【図面の簡単な説明】
【０００９】
【図１】本発明に係る容器回転式混合装置用パドルの正面図である。
【図２】図１のＸ−Ｘ断面の拡大図である。
【図３】図１のＹ−Ｙ断面の拡大図である。
【図４】図１のパドルを取り付けた容器回転式混合装置の平面図である。
【図５】図４の容器回転式混合装置の一部断面正面図である。
【図６】パドルが収容された容器の使用状態での水平断面図である。
【図７】従来の容器回転式混合装置の一部断面正面図である。
【発明を実施するための形態】
【００１０】
本発明に係る容器回転式混合装置用パドルは、容器Ａ外に配置されるアーム部１と、該アーム部１の先端に一体形成した、容器Ａ内に配置されるパドル部２とを有し、該パドル部２は、水平部位３と、該水平部位３の両端部より上方突出した垂直部位４、５と、水平部位３の中央より上方突出した、アーム部１への連結軸部６とを有し、垂直部位４、５の少なくともどちらか一方の上端に内方突出部７を設けている。
【００１１】
具体的に説明すると、この容器回転式混合装置用パドルは、プラスチック製、望ましくはグラスファイバー等の繊維を加えた繊維強化プラスチック製の一体成形品で、図１〜３に示す様に、アーム部１及びパドル部２で構成され、他方の垂直部位５に内方突出部７が形成されている。
【００１２】
アーム部１は支柱部位８の上端に水平部位９を突設した略逆Ｌ字形状とし、支柱部位８の下方部位を丸棒形状の差込み部10としている。
【００１３】
パドル部２は、一方の垂直部位４を他方の垂直部位５より高くし、連結軸部６は幅が広く、両側部に両刃状のエッジ部11、11a を形成した柱状体とし、具体的には、水平断面形状が偏平六角形の柱状体で、エッジ部11、11a 以外の４箇所の角部にＲ面を面取り形成している。
又、水平部位３の下面、垂直部位４、５の外側面を凸曲面12、13、14としている。
【００１４】
尚、図面上、水平部位３のおける他方の垂直部位５側の部位の厚さが、一方の垂直部位４側の部位より薄くなっているが、同厚であっても良い。
【００１５】
そして、図４、５に示す様に、混合装置Ｍにおける差込み穴Ｈにアーム部１の差込み部10を挿入すると共に、ターンテーブルＴ上に設置した容器Ａ内にパドル部２を収容し、ターンテーブルＴにより容器Ａを回転させることで、図６に示す様に、混合対象物Ｗに押されてパドル部２が容器Ａに当たるまで移動しこの状態のまま混合対象物Ｗを混合し、パドル部２により容器Ａ内の高粘性流体である混合対象物Ｗ（例えば、シーリング材）を混合するが、内方突出部７により混合対象物Ｗの非流動領域がなくなって、混合対象物Ｗが均一に混合される。
【００１６】
又、本発明に係る容器回転式混合装置用パドルをプラスチック製とすることで、容器Ａにパドル部２があたっても、容器Ａに傷は付かず、水平部位３の下面、垂直部位４、５の外側面を凸曲面12、13、14とすることで、容器Ａ内面に対する摩擦抵抗が軽減される。
【符号の説明】
【００１７】
１        アーム部
２        パドル部
３        水平部位
４、５    垂直部位
６        連結軸部
７        内方突出部
11、11a   エッジ部
Ａ        容器
【図１】
2019150787.tif 000003
【図２】
2019150787.tif 000004
【図３】
2019150787.tif 000005
【図４】
2019150787.tif 000006
【図５】
2019150787.tif 000007
【図６】
2019150787.tif 000008
【図７】
2019150787.tif 000009